(57)【要約】【課題】告知情報の存在をユーザに意識させつつ、告知情報による表示画面の占有領域を抑える。【解決手段】マイクロプロセッサ１４は、メッセージを表示する条件が満たされると、メッセージが存在することを示すシンボルが表示されたメッセージ非表示画面２１を表示させる。そして、ユーザによりメッセージ表示ボタン２３が押されると、メッセージ２５が表示されたメッセージ表示画面２４に切り換える。また、メッセージ表示画面２４において、メッセージ非表示ボタン２６が押されると、メッセージ非表示画面に切り換える。【選択図】図２
2007178658.tif 000002
【特許請求の範囲】
【請求項１】
表示部を備えた電子機器であって、
当該電子機器の状態を監視しつつ、当該電子機器が告知情報を表示させる条件を満たすか否かを判断し、当該電子機器が上記告知情報を表示させる条件を満たしている間、
上記告知情報を上記表示部に表示させた告知情報表示画面と、上記告知情報が存在することを示すシンボルを上記表示部に表示させた告知情報非表示画面とを切り換える制御部を有すること
を特徴とする電子機器。
【請求項２】
上記制御部は、上記告知情報を上記表示部に表示させてから、所定の時間が経過すると、上記告知情報を消去して上記告知情報非表示画面に切り換えることを特徴とする請求項１記載の電子機器。
【請求項３】
上記制御部は、ユーザからの指示に従い、上記告知情報表示画面と上記告知情報非表示画面とを切り換えることを特徴とする請求項２記載の電子機器。
【請求項４】
表示部を備えた電子機器の告知情報表示方法であって、
当該電子機器が告知情報を表示させる条件を満たすか否かを判断する判断工程と、
当該電子機器が上記告知情報を表示させる条件を満たしている間、
上記告知情報が表示された告知情報表示画面と上記告知情報が存在することを示すシンボルが表示された非告知情報表示画面とを上記表示部に表示させる工程と
を有することを特徴とする告知情報表示方法。
【発明の詳細な説明】
【技術分野】
【０００１】
本発明は、ディスプレイなどの表示部にメッセージなどの告知情報を表示させる電子機器及び告知情報表示方法に関する。
【背景技術】
【０００２】
近年の電子機器の多くはユーザインターフェースとしてＧＵＩ（Graphical User Interface）を利用している。ＧＵＩは、アイコンなどを用いて、設定状態や機能を直感的に理解できるようにしている。しかし、アイコンは、小さなビットマップ画像やＯＳＤ（On Screen Display）で表現されるため、詳しい情報をユーザに通知するには限界がある。そこで、アイコンの代わりに文字等で表示することも多くなっている。
【０００３】
ここで、ＧＵＩ画面に文字情報であるメッセージを表示させる撮像装置の例を示す。この撮像装置では、ＧＵＩ画面において、例えば、「露出補正の設定」の操作を実行すると、露出値を設定するためのレイヤ画面を重畳表示する。そして、レイヤ画面、即ち、「露出補正の設定」画面に表示された「＋」ボタン又は「−」ボタンにより露出値を所望の値に設定することができる。
【０００４】
「露出補正の設定」のレイヤ画面が重畳表示された状態で、画像の記録を開始しようとしたとき、装置にカセットが入っていないと、撮像装置は、メッセージ表示処理を実行し、「カセットが入っていません」というようなメッセージを表示させるレイヤ画像を生成し、「露出補正の設定」のレイヤ画面の前面に重畳表示する（例えば、特許文献１）。
【０００５】
【特許文献１】特開２００４−３４３６６２号公報
【発明の開示】
【発明が解決しようとする課題】
【０００６】
文字でメッセージを表示するとアイコンよりも詳しい内容を正確に伝えることができるという利点がある。しかしながら、近年、電子機器の多機能化・多言語化によりメッセージの文字数が増加することがある。文字数が増加すると、メッセージの表示領域が拡大し、表示画面を見たいユーザにとって邪魔になってしまうという問題があった。
【０００７】
メッセージを短時間で消去したならば、メッセージが邪魔になる可能性も少ないが、例えば、エラーの原因を通知するメッセージを表示し、原因が回避される前にメッセージを消去すると、ユーザは、メッセージの内容、さらには、メッセージの存在自体を忘れてしまうことがある。
【０００８】
本発明は、上述した課題に鑑みてなされたものであって、告知情報の存在をユーザに意識させつつ、告知情報による表示画面の占有領域を抑えた電子機器、及び、告知情報表示方法を提供することを目的とする。
【課題を解決するための手段】
【０００９】
上述した課題を解決するために、本発明を適用した電子機器は、表示部を備えた電子機器であって、電子機器の状態を監視しつつ、電子機器が告知情報を表示させる条件を満たすか否かを判断し、電子機器が告知情報を表示させる条件を満たしている間、告知情報を表示部に表示させた告知情報表示画面と、告知情報が存在することを示すシンボルを表示部に表示させた告知情報非表示画面とを切り換える制御部とを有する。
【００１０】
また、本発明を適用した告知情報表示方法は、表示部を備えた電子機器の告知情報表示方法であって、電子機器が告知情報を表示させる条件を満たすか否かを判断する判断工程と、電子機器が告知情報を表示させる条件を満たしている間、告知情報が表示された告知情報表示画面と告知情報が存在することを示すシンボルが表示された非告知情報表示画面とを表示部表示させる工程とを有する。
【発明の効果】
【００１１】
本発明によれば、告知情報の存在を示すシンボルを表示部に表示させることにより、告知情報が占有する表示領域を抑えることができる。また、ユーザは、告知情報そのものが表示部に表示されていなくとも、シンボルにより、告知情報の存在を認識する。また、告知情報非表示画面から告知情報表示画面に切り換えることにより、ユーザは、告知情報の内容を確認することができる。
【発明を実施するための最良の形態】
【００１２】
以下、図面を参照して本発明を適用した撮像装置を説明する。図１は、撮像装置１の内部構成を示すブロック図である。撮像装置１は、レンズ２と、レンズ２を透過した光を電気信号に変換するＣＣＤ（Charge Coupled Device）３と、ＣＣＤ３から入力した電気信号をデジタルの映像信号に変換するカメラ信号処理部４と、映像信号の記録部５と、映像信号に重畳させるメッセージ画像を生成するＯＳＤ（On Screen Display）部６と、撮像画像とメッセージ画像とを重畳させる重畳部７と、ＯＳＤで生成されたメッセージ画像を記憶するＶＲＡＭ（Video Random Access Memory）８と、画像を表示するＬＣＤ９（Liquid Crystal Display）と、接触入力を感知するタッチパネル１０と、バッテリ１２若しくは電源コード１３から入力した電力の調整を行う電源回路１１と、撮像装置１全体を制御するマイクロプロセッサ１４とを備える。
【００１３】
ＣＣＤ３は、レンズ２を透過した光を電気信号に変換する。カメラ信号処理部４は、ＣＣＤ３から入力した電気信号をデジタルの映像信号に変換する。カメラ処理部４は、映像信号を記録する記録部５、若しくは、重畳部７に出力する。
【００１４】
マイクロプロセッサ１４は、撮像装置１の状態を監視し、撮像装置１の状態がある条件を満たすと、この状態をユーザに通知するメッセージを作成する。例えば、マイクロプロセッサ１４は、レンズカバーが装着されている場合には、「レンズカバーを外してください」というメッセージを作成する制御を行う。
【００１５】
また、撮像装置１は、映像音声入出力ケーブル（以下、ＡＶケーブルと記す）の差込口を備えるが、この差込口を使わずとも、クレードルを用いてＡＶケーブルを接続することもできる。マイクロプロセッサ１４は、２つのＡＶケーブルが同時に接続された場合には、「片方のＡＶケーブルを抜いてください」というメッセージを作成する制御を行う。
【００１６】
また、マイクロプロセッサ１４は、設定状態を通知するメッセージも作成する。例えば、撮影モードには、高画質なＨＤＶ（High Definition Video）で撮影するＨＤＶモードと、地上波テレビジョン放送と同画質のＳＤＶ（Standard Definition Video）で撮影するＳＤＶモードとがある。ＨＤＶモードが設定されている場合には、マイクロプロセッサ１４は、「ＨＤＶモードで撮影しています」というメッセージを作成する制御を行う。
【００１７】
作成されたメッセージは、常に表示されているわけではなく、メッセージの表示と非表示とを切り換えることができる。図２に、メッセージの表示、非表示を切り換える様子を示す。図２の左側はメッセージ非表示状態における表示画面（以下、メッセージ非表示画面と記す）２１である。このメッセージ非表示画面２１には、メニューボタン２２と、メッセージ表示ボタン２３とが設けられている。メッセージ表示ボタン２３には、インフォメーションの頭文字である「ｉ」が表示されている。メッセージ表示ボタン２３は、メッセージが存在することを示している。ユーザがメッセージ表示ボタン２３を押すと、マイクロプロセッサ１４は、メッセージ非表示状態からメッセージ表示状態に遷移させる。
【００１８】
図２の右側はメッセージ表示状態における表示画面（以下、メッセージ表示画面と記す）２４である。図２のメッセージ表示画面には、「片方のＡＶケーブルを抜いてください」というメッセージ２５と、メッセージ非表示ボタン２６とが表示されている。メッセージ非表示ボタン２６が押されると、メッセージ表示画面２４がメッセージ非表示画面２１に切り替わる。
【００１９】
マイクロプロセッサ１４は、撮像装置１の各構成要素にコントロール信号を出力し、撮像装置１の状態を監視する。マイクロプロセッサ１４は、撮像装置１がメッセージを表示する条件を満たしているか否かを判断し、メッセージが表示される条件を満たし続けている間、メッセージ２５、若しくは、メッセージ表示ボタン２３を表示する。また、メッセージを表示させる条件が満たされなくなるとメッセージ２５、若しくは、メッセージ表示ボタン２３を消去する。
【００２０】
メッセージが表示条件の具体例を説明する。例えば、クレードルと、撮像装置１本体との両方にＡＶケーブルが接続されている場合、「片方のＡＶケーブルを抜いてください」というメッセージが生成される。２つのＡＶケーブルが接続されている間は、メッセージ表示画面とメッセージ非表示画面との切換が可能である。そして、２つのＡＶケーブルのうち、少なくとも一方が外されると、メッセージを表示する条件を満たさなくなり、表示中のメッセージ表示ボタン、若しくは、メッセージが消去される。
【００２１】
また、レンズカバーが装着された状態で起動すると、「レンズカバーを外してください」というメッセージが生成される。レンズカバーが装着されている間は、メッセージ表示画面とメッセージ非表示画面との切換が可能である。そして、レンズカバーが外されるとメッセージを表示する条件を満たさなくなり、表示中のメッセージ表示ボタン、若しくは、メッセージが消去される。
【００２２】
図３は、表示画面の切換処理を模式的に示している。撮像装置１は、はじめ待機状態にある（ｉ）。メッセージを表示する条件が満たされると（ｉｉ）、マイクロプロセッサ１４は、現在ＬＣＤ９に表示している画像にメッセージ表示ボタン２３を重畳させてメッセージ非表示状態に遷移する（ｉｉｉ）。
【００２３】
メッセージ非表示状態において、メッセージを表示する条件が満たされなくなると（ｉｖ）、マイクロプロセッサ１４は、メッセージ表示ボタン１２を消去して、待機状態に遷移する（ｉ）。
【００２４】
一方、メッセージ非表示状態において、メッセージ表示ボタン２３が押されると（ｖ）、マイクロプロセッサ１４は、メッセージ表示ボタン２３を消去し、メッセージ２５とメッセージ非表示ボタン２６とを表示させて、メッセージ表示状態に遷移する（ｖｉ）。
【００２５】
メッセージ表示状態において、メッセージを表示する条件が満たされなくなると（ｖｉｉ）、マイクロプロセッサ１４は、メッセージ２５とメッセージ非表示ボタン２６とを消去して、待機状態に遷移する（ｉ）。
【００２６】
次いで、図を参照して、上述した切換処理における各ブロックの具体的な処理を詳細に説明する。
【００２７】
図４は、メッセージ非表示状態からメッセージ表示状態に遷移するときの手順を示している。メッセージ非表示状態では、ＬＣＤ９にメッセージ表示ボタン２３が表示されている（ステップＳ１１）。マイクロプロセッサ１４は、タッチパネル１０からの入力電圧をＡＤ変換し、その変換値から現在どのボタンが押されているかを判断する。その結果、メッセージ表示ボタン２３が押されていれば（ステップＳ１２）、マイクロプロセッサ１４は、ＯＳＤ部６にコマンドを発行する（ステップＳ１３）。
【００２８】
ＯＳＤ部６は、マイクロプロセッサ１４からコマンドを入力すると、入力したコマンドを解釈し、重畳部７内のＶＲＡＭ８上にメッセージ２５及びメッセージ非表示ボタン２６の表示信号を作成する（ステップＳ１４）。
【００２９】
そして、ＯＳＤ部６は、ＶＲＡＭ８に作成した表示信号を走査線単位で重畳部７へ送る。重畳部７は、現在ＬＣＤ９に表示されている画像とＶＲＡＭ８に作成された表示信号とを重畳してＬＣＤ９に出力する。これにより、ＬＣＤ９にメッセージ２５及びメッセージ非表示ボタン２６が表示され、メッセージ表示状態に遷移する（ステップＳ１５）。なお、重畳部７の出力先は、ＬＣＤ９のほかに、ビューファインダ、ラインアウトなどがある。また、マイクロプロセッサ１４は、コマンドの代わりにビットマップ画像をＯＳＤ部６に転送してもよい。この場合、ＯＳＤ部６は、入力したビットマップ画像を表示信号としてＶＲＡＭ８に展開する。
【００３０】
図５は、メッセージ表示状態からメッセージ非表示状態に遷移するときの手順を示している。メッセージ表示状態では、ＬＣＤ９にメッセージ２５とメッセージ非表示ボタン２６とが表示されている（ステップＳ２１）。マイクロプロセッサ１４は、タッチパネル１０からの入力電圧をＡＤ変換し、その変換値から現在どのボタンが押されているかを判断する。その結果、メッセージ非表示ボタン２６が押されていれば（ステップＳ２２）、マイクロプロセッサ１４は、ＯＳＤ部６にメッセージを消去するコマンドを発行する（ステップＳ２３）。ＯＳＤ部６は、入力したコマンドを解釈し、重畳部７内のＶＲＡＭ８上にメッセージ表示ボタン２３の表示信号を作成する（ステップＳ２４）。
【００３１】
そして、ＯＳＤ部６は、ＶＲＡＭ８に作成した表示信号を走査線単位で重畳部７へ送る。重畳部７は、現在ＬＣＤ９に表示されている画像とＶＲＡＭ８に作成された表示信号とを重畳してＬＣＤ９に出力する。これにより、ＬＣＤ９にメッセージ表示ボタン２３が表示され、メッセージ表示状態に遷移する（ステップＳ２５）。なお、重畳部７の出力先は、ＬＣＤ９のほかにビューファインダ、ラインアウトなどがある。また、マイクロプロセッサ１４は、コマンドの代わりにビットマップ画像をＯＳＤ部６に転送してもよい。この場合、ＯＳＤ部６は、入力したビットマップ画像を表示信号としてＶＲＡＭ８に展開する。
【００３２】
これまで、画面の切換をタッチパネル１０で操作する例について説明した。しかし、画面の切換は、タッチパネル１０を用いずとも操作することができる。以下の例では、ハードウェアキーを用いて表示画面を切り換える撮像装置について説明する。図６は、ハードウェアキーを備えた撮像装置１の構成を示す。図６において、図１と同じ構成は、同符号を付し説明を省略する。
【００３３】
図６に示す撮像装置１は、ハードウェアキー１５が設けられている。ハードウェアキー１５は、図７に示すように撮像装置１の外側に設けられている。マイクロプロセッサ１４は、ハードウェアキー１５のトグル動作により、メッセージの表示／非表示を切り換える。
【００３４】
図８に、メッセージ非表示画面３１及びメッセージ表示画面３３の一例を示す。図８の左側は、メッセージ非表示画面３１である。メッセージ非表示画面３３には、メッセージがあることを示すシンボル３２が表示されている。この状態で、表示の切換を入力するハードウェアキー（以下、メッセージ切換キーと記す）１５が押下されると、これを検出したマイクロプロセッサ１４がメッセージ非表示画面３１をメッセージ表示画面３３に切り換える。
【００３５】
図８の右側は、メッセージ表示画面３３である。メッセージ表示画面３３には、メッセージ３４が表示されている。この状態で、メッセージ切換キー１５が押下されると、これを検出したマイクロプロセッサ１４がメッセージ表示画面３３をメッセージ非表示画面３１に切り換える。
【００３６】
メッセージがあることを示すシンボル３２は、メッセージ３４が表示される条件を満たし続けている間、表示されている。また、シンボル３２が表示されている間は、メッセージ切換キー１５の操作により何度でもメッセージ３４を表示させることができる。
【００３７】
以上、説明したように、本発明を適用した撮像装置１は、比較的長い時間表示させるメッセージが存在したとしても、メッセージの表示／非表示を切り換えることにより、表示画面を有効に利用することができる。特に、撮像装置１では、メッセージを非表示にすることにより、撮像中の画像を見ることができる。
【００３８】
また、メッセージがあることを示すシンボルやメッセージ表示ボタンの有無により、メッセージが存在することを確認できる。さらに、何度でもメッセージを表示させることができる。
【００３９】
なお、上述した実施の形態では、撮像装置１を例として説明したが、実際には、撮像装置１以外の電子機器にも適用できる。特に、携帯機器では、表示画面のサイズに制限があるため、メッセージを非表示にすることで、表示画面を有効に利用することができる。
【００４０】
また、上述した実施の形態では、ユーザが手動でメッセージの表示／非表示を切り換えたが、このほかにも、メッセージを表示して一定時間の経過すると、非表示に切り換えるようにしてもよい。
【００４１】
また、上述した実施の形態では、メッセージを表示している間、メッセージの存在を示すシンボルを消去したが、メッセージを表示している間もシンボルを表示しつづけてもよい。
【図面の簡単な説明】
【００４２】
【図１】本発明を適用した撮像装置の内部構成を示すブロック図である。
【図２】メッセージ表示画面及びメッセージ非表示画面の一例を示す図である。
【図３】表示画面の切換処理を示す模式図である。
【図４】メッセージ非表示状態からメッセージ表示状態に遷移するときの手順を示すフローチャートである。
【図５】メッセージ表示状態からメッセージ非表示状態に遷移するときの手順を示すフローチャートである。
【図６】本発明を適用した撮像装置の内部構成を示すブロック図である。
【図７】撮像装置の外観を示す斜視図である。
【図８】メッセージ表示画面及びメッセージ非表示画面の一例を示す図である。
【符号の説明】
【００４３】
１  撮像装置、２  レンズ、３  ＣＣＤ、４  カメラ信号処理部、５  記録部、６  ＯＳＤ部、７  重畳部、８  ＶＲＡＭ、９  ＬＣＤ、１０  タッチパネル、１４  マイクロプロセッサ、２１  メッセージ非表示画面、２３  メッセージ表示ボタン、２４  メッセージ表示画面、２５  メッセージ、２６  メッセージ非表示ボタン、
【図１】
2007178658.tif 000003
【図２】
2007178658.tif 000004
【図３】
2007178658.tif 000005
【図４】
2007178658.tif 000006
【図５】
2007178658.tif 000007
【図６】
2007178658.tif 000008
【図７】
2007178658.tif 000009
【図８】
2007178658.tif 000010